(57)【要約】【課題】単純な構成でありながら、本のページ送りのような感覚で画面を切り換えることの可能な表示装置および表示方法を提供する。【解決手段】第１の表示部８ｂと第２の表示部８ａの複数の表示部を有し、第１および第２の複数の表示部８ａ、８ｂを互いに重ねた第１の状態（（ｂ）の状態）と、第１及び第２の複数の表示部を並べた第２の状態（（ａ）（ｃ）の状態）に変化可能な表示装置において、第１の状態と第２の状態の状態変化を検出する動き判定部７を有し、動き判定部７によって検出された状態変化に従って、画像を順次、第２の表示部８ａから第１の表示部８ｂに、または第１の表示部８ｂから第２の表示部８ａに移動させる。【選択図】  図４
2010145439.tif 000002
【特許請求の範囲】
【請求項１】
第１の表示部と第２の表示部の複数の表示部を有し、上記第１および第２の複数の表示部を互いに重ねた第１の状態と、上記第１及び第２の複数の表示部を並べた第２の状態に変化可能な表示装置において、
上記表示部の上記第１の状態と上記第２の状態の状態変化を検出する検出部と、
上記検出部によって検出された上記状態変化に従って、画像を順次、上記第１の表示部から上記第２の表示部に、または上記第２の表示部から上記第１の表示部に移動させる表示制御部と、
を有することを特徴とする表示装置。
【請求項２】
上記第１の表示部と上記第２の表示部は、相互に摺動可能であることを特徴とする請求項１に記載の表示装置。
【請求項３】
上記検出部は、上記第１の状態と上記第２の状態の状態変化の速さを検知し、上記表示制御部は、検知された速さに応じて、画像を進めるか戻すかを制御することを特徴とする請求項１に記載の表示装置。
【請求項４】
上記表示装置は、上記第１の表示部と上記第２の表示部を並べて表示する際に、表示部を移動させるにあたって、２通りの移動方向を有し、上記表示制御部は、上記２通りの移動方向のいずれであるかに応じて、画像を進めるか戻すかを制御することを特徴とする請求項１に記載の表示装置。
【請求項５】
画像を表示する第１の表示部と、
上記第１の表示部に覆われる第１の位置と、上記第１の表示部と並設する第２の位置に移動可能な第２の表示部と、
上記第２の表示部が上記第１の位置または第２の位置に移動したことを検知する検知部と、
上記検知部によって上記第２の表示部が上記第１または上記第２の位置に移動したことを検知したことに応じて、上記第１および上記第２の表示部の表示内容を変更する表示制御部と、
を有することを特徴とする表示装置。
【請求項６】
複数の画像を記録する記録部を有し、
上記表示制御部は、上記検知結果に応じて、上記記録部に記録されている複数の画像の中から選択して、上記第１および第２の表示部に表示することを特徴とする請求項５に記載の表示装置。
【請求項７】
第１の表示部と第２の表示部の複数の表示部を有し、上記第１および第２の複数の表示部を互いに重ねた第１の状態と、上記第１及び第２の複数の表示部を並べた第２の状態に変化可能な表示装置における表示方法であって、
上記表示部の上記第１の状態と上記第２の状態の状態変化を検出し、
上記検出部によって検出された上記状態変化に従って、画像を順次、上記第１の表示部から上記第２の表示部に、または上記第２の表示部から上記第１の表示部に移動させる、
ことを特徴とする表示方法。
【発明の詳細な説明】
【技術分野】
【０００１】
本発明は、表示装置および表示方法に関し、詳しくは、アルバムのページまくりを行うような実感で画像を鑑賞することの可能な表示装置および表示方法に関する。
【背景技術】
【０００２】
近年、デジタル写真などの記録装置は、記憶容量の大容量化や小型化が進んできている。また、記録された大量の画像等の表示装置も種々提案されている。例えば、特許文献１には、電子書籍であるが、タッチパネルをタッチする指の動きに応じて、画面をめくることのできる画像表示装置が開示されている。
【特許文献１】特開平８−７６９２６号公報
【０００３】
また、特許文献２には、電子書籍であるが、４枚の電子ペーパーシート（液晶パネル）を循環的にめくり可能に構成し、紙で構成された本と同様の感覚でページめくりのできる電子ブックが開示されている。
【特許文献２】特開２００８−１０３８０９号公報
【発明の開示】
【発明が解決しようとする課題】
【０００４】
特許文献１に開示の画像表示装置は、画面をタッチしてページ送りを行うことから、画面に指紋が付着し、また指をタッチしてすべらせるだけなので操作した感触がないという不具合がある。また、特許文献２に開示の電子ブックは、必要なパネルが増加してしまうという不具合がある。
【０００５】
本発明は、このような事情を鑑みてなされたものであり、単純な構成でありながら、本のページ送りのような感覚で画面を切り換えることの可能な表示装置および表示方法を提供することを目的とする。
【課題を解決するための手段】
【０００６】
上記目的を達成するため第１の発明に係わる表示装置は、第１の表示部と第２の表示部の複数の表示部を有し、上記第１および第２の複数の表示部を互いに重ねた第１の状態と、上記第１及び第２の複数の表示部を並べた第２の状態に変化可能な表示装置において、上記表示部の上記第１の状態と上記第２の状態の状態変化を検出する検出部と、上記検出部によって検出された上記状態変化に従って、画像を順次、上記第１の表示部から上記第２の表示部に、または上記第２の表示部から上記第１の表示部に移動させる表示制御部と、を有する。
【０００７】
第２の発明に係わる表示装置は、上記第１の発明において、上記第１の表示部と上記第２の表示部は、相互に摺動可能である。
第３の発明に係わる表示装置は、上記第１の発明において、上記検出部は、上記第１の状態と上記第２の状態の状態変化の速さを検知し、上記表示制御部は、検知された速さに応じて、画像を進めるか戻すかを制御する。
【０００８】
第４の発明に係わる表示装置は、上記第１の発明において、上記表示装置は、上記第１の表示部と上記第２の表示部を並べて表示する際に、表示部を移動させるにあたって、２通りの移動方向を有し、上記表示制御部は、上記２通りの移動方向のいずれであるかに応じて、画像を進めるか戻すかを制御する。
【０００９】
第５の発明に係わる表示装置は、画像を表示する第１の表示部と、上記第１の表示部に覆われる第１の位置と、上記第１の表示部と並設する第２の位置に移動可能な第２の表示部と、上記第２の表示部が上記第１の位置または第２の位置に移動したことを検知する検知部と、上記検知部によって上記第２の表示部が上記第１または上記第２の位置に移動したことを検知したことに応じて、上記第１および上記第２の表示部の表示内容を変更する表示制御部と、を有する。
【００１０】
第６の発明に係わる表示装置は、上記第５の発明において、複数の画像を記録する記録部を有し、上記表示制御部は、上記検知結果に応じて、上記記録部に記録されている複数の画像の中から選択して、上記第１および第２の表示部に表示する。
【００１１】
第７の発明に係わる表示方法は、第１の表示部と第２の表示部の複数の表示部を有し、上記第１および第２の複数の表示部を互いに重ねた第１の状態と、上記第１及び第２の複数の表示部を並べた第２の状態に変化可能な表示装置における表示方法であって、上記表示部の上記第１の状態と上記第２の状態の状態変化を検出し、上記検出部によって検出された上記状態変化に従って、画像を順次、上記第１の表示部から上記第２の表示部に、または上記第２の表示部から上記第１の表示部に移動させる。
【発明の効果】
【００１２】
本発明によれば、単純な構成でありながら、本のページ送りのような感覚で画面を切り換えることの可能な表示装置および表示方法を提供することができる。
【発明を実施するための最良の形態】
【００１３】
以下、図面に従って本発明を適用したデジタルカメラを用いて好ましい実施形態について説明する。図１は、本発明の第１実施形態に係わるカメラ１０の回路構成を示すブロック図である。
【００１４】
このカメラ１０は、カメラ本体１０ａとスライド部１０ｂから構成され、カメラ本体１０ａは、画像処理及び制御部１、撮像部２、撮影レンズ２ａ、表示制御部３、記録部４、操作判定部６、動き判定部７、表示部８、および時計部９から構成されている。また、スライド部１０ｂは、カメラ本体１０ａに対して摺動自在であり、スライド部１０ｂ内にはストロボ部５と表示部８ｂが配置されている。撮像部２は撮影レンズ２ａや、シャッタ等の露出制御部、撮像素子、撮像素子の駆動及び読出回路等を含み、撮影レンズによって形成された被写体像を撮像素子によって画像データに変換する。
【００１５】
画像処理及び制御部１は、記憶されているプログラムに従ってカメラ１０の全体のシーケンスを制御する。また、撮像部２から出力される画像信号を取り込み、間引き処理、エッジ強調、色補正、画像圧縮等の種々の画像処理を行い、ライブビュー表示、記録部４への記録、再生表示等の画像処理を行う。画像処理及び制御部１内には、表示制御部３が設けられており、後述する表示部８ａおよび表示部８ｂにおける表示を制御する。
【００１６】
画像記録部４は、撮像部２から出力され、画像処理および制御部１で画像処理された画像データの記録を行う。また、記録にあたっては、後述する時計部９から出力される日時情報に基づく撮影日時情報等も併せて記録する。日時情報を用いて画像検索を行うことが可能となる。
【００１７】
操作判定部６はレリーズ釦、メニュー釦、再生釦等の操作部材の操作状態を判定し、判定結果は、画像処理及び制御部１に送信する。前述の画像処理及び制御部１は、操作判定部６による判定結果に応じてカメラ１０の制御を行う。動き判定部７は、磁石および磁気センサ等の位置検出センサを含み、カメラ本体１０ａに対するスライド部１０ｂの動きを検出する。なお、動き判定部７は、磁石と磁気センサの組み合わせ以外にも、例えば、機械的スイッチでも良く、また発光源と光センサの組み合わせ等、カメラ本体１０ａとスライド部１０ｂの相対的位置関係を検出できるものであれば構わない。この動き判定部７による判定結果は、操作判定部６に送られ、スライド部１０ｂの操作の判定に使用する。時計部９は、日時情報を出力する。この日時情報は前述したように画像データを記録部４に記録する際に併せて記録される。
【００１８】
表示部８ｂは、液晶モニタ等の表示パネルを有し、スライド部１０ｂの背面に配置されている。この表示部８ｂに記録部４に記録されている画像を再生表示し、また撮影前には撮像部２からの画像データに基づいていわゆるライブビュー表示を行う。撮影者は表示部８ｂ上のライブビュー表示を観察しながら、構図や撮影タイミングの確認を行うことができる。表示部８ａは、液晶モニタ等の表示パネルを有し、カメラ本体１０ａに配置されている。この表示部８ａも、記録部４に記録されている画像を再生表示が可能である。
【００１９】
スライド部１０ｂはカメラ本体１０ａに対して摺動可能であり、スライド部１０ｂをカメラ本体１０ａ上に重ねた収納状態では、表示部８ｂのみが露呈され表示可能である。また、スライド部１０ｂが摺動され、スライド部１０ｂがカメラ本体１０ａから離間された引出状態となると、表示部８ａおよび表示部８ｂの両方が露呈され表示可能となる。
【００２０】
ストロボ５は、スライド部１０ｂに配置されており、被写体に対して補助光を照明する内蔵の補助照明装置である。スライド部１０ｂをカメラ本体１０ａ上に重ねた収納状態では、ストロボ５はカメラ本体１０ａによって隠されており、スライド部１０ｂがカメラ本体１０ａから離間された引出状態となると、ストロボ５は露呈する（図３参照）。
【００２１】
次に、カメラ本体１０ａとスライド部１０ｂからなるカメラ１０の構造について図２を用いて説明する。図２（ａ）はカメラ１０の長手方向と直交する方向での断面図であり、図２（ｂ）はカメラ本体１０ａから離間された引出状態において背面側からみた一部透視図であり、図２（ｃ）はスライド部１０ｂをカメラ本体１０ａ上に重ねた収納状態において背面側から見た一部透視図である。
【００２２】
スライド部１０ｂのレール１１は、カメラ本体１０ａの溝部１２に嵌合しており、このためスライド部１０ｂはカメラ本体１０ａに摺動自在に支持されている。スライド部１０ｂの摺動範囲は留め金によって規制されており、スライド部１０ｂがカメラ本体１０ａから外れることはない。カメラ本体１０ａには、撮影レンズ２ａが本体の片側（正面側）に配置されており、また撮影レンズ２と反対側（背面側）には表示部８ａが配置されている。
【００２３】
また、カメラ本体１０ａであって、スライド部１０ｂの摺動通路上に、動き判定部７を構成する磁気センサ７ａ、７ｂが配置されている。また、スライド部１０ｂであって、磁気センサ７ａ、７ｂの摺動通路上には磁石７ｃが固定されている。磁気センサ７ａ、７ｂによって、磁石７ｃの磁気を検出することにより、スライド部１０ｂが引出状態の方向に移動しているか（開いているか）、またスライド部１０ｂが収納状態の方向に移動しているか（閉じているか）を判定することができる。
【００２４】
収納状態でカメラ１０を背面側から見ると、図２（ｂ）に示すように、２つの表示部８ａ、８ｂが並んでおり、一方、収納状態では、図２（ｃ）に示すように、スライド部１０ｂがカメラ本体１０ａ上に重なって、表示部８ｂのみが見える。通常の撮影状態は、図２（ｃ）に示す収納状態で行う。
【００２５】
図３は、引出状態での外観斜視図を示し、図３（ａ）は正面側から見た外観斜視図であり、図３（ｂ）は背面側から見た外観斜視図である。引出状態では、図３（ａ）に示すように、撮影レンズ２ａおよびストロボ５が正面側から見える。ストロボ５は、スライドにより自動的にストロボ撮影になるようにしても良い。また背面側には、図３（ｂ）に示すように、２つの表示部８ａ、８ｂが並んで見える。
【００２６】
図３（ｂ）の状態で、カメラ１０を横にすると、図４に示すようになり、本を開いたようなデザインとなることを利用してアルバム表示を行う。図４（ａ）は、スライド部１０ｂをスライドさせた引出状態を示し、これは図３（ｂ）において横に９０度回転させた状態である。この状態では、左側にカメラ本体１０ａの表示部８ａが表示され、右側にスライド部１０ｂの表示部８ｂが表示される。
【００２７】
この引出状態からスライド部１０ｂを摺動すると、図４（ｂ）に示すように収納状態となる。収納状態にする際に、表示部８ａに表示されていた画像は、表示部８ｂに移動し、そこで表示される。この収納状態からスライド部１０ｂを摺動すると、図４（ｃ）に示すように引出状態となる。引出状態とする際に、表示部８ｂに表示されて画像はそのままであり、表示部８ａには次の画像が表示される。
【００２８】
したがって、本実施形態においては、スライド部１０ｂを閉じて開くと、画像が順次、更新されて表示される。ユーザは、スライド部１０ｂをスライドさせる動作を実感しながら、画像の切り換えを楽しむことでき、アルバムのページをめくるような直観的操作で画像鑑賞を行うことができる。
【００２９】
次に、本実施形態におけるカメラ１０の動作について、図５に示すフローチャートを用いて説明する。カメラ制御のフローに入ると、まず、電源スイッチがオンか否かの判定を行う（Ｓ１００）。この判定の結果、電源がオンでなかった場合には、スリープ状態に入り、電源スイッチがオンとなると、割り込み処理により、ステップＳ１００からスタートする。
【００３０】
ステップＳ１００における判定の結果、電源オンであった場合には、次に、撮影モードか否かの判定を行う（Ｓ１０１）。この判定の結果、撮影モードに設定されていた場合には、露出演算を行う（Ｓ１０２）。ここでは、撮像部２からの画像データを取り込み、この画像データに基づいて被写体輝度を求め、被写体輝度から適正露光となるシャッタ速度や絞り値等の露出演算を行う。
【００３１】
露出演算を行うと、次に、ライブビュー表示を行う（Ｓ１０３）。このステップでは、ライブビュー表示用に画像処理された画像データに基づいて、表示部８ｂの表示パネルに被写体像を表示する。撮影者はこのライブビュー表示を見ながら、構図やシャッタタイミングを決定することができる。
【００３２】
ライブビュー表示を行うと、次に、レリーズか否かの判定を行う（Ｓ１０４）。ここでは、操作判定部６の判定結果に基づいて、レリーズ釦が操作され、撮影を行うか否かの判定を行う。この判定の結果、レリーズではなかった場合には、次に、ステップＳ１００に戻る。一方、レリーズであった場合には、露出を行う（Ｓ１３１）。ここでは、シャッタを開放すると共に撮像素子の露光を開始させ、ステップＳ１０２における露出演算で求めた適正露光となるシャッタ秒時が経過するとシャッタを閉じて、露出を終了する。
【００３３】
ステップＳ１３１における露出が終わると、次に、記録動作を行う（Ｓ１３２）。ここでは、撮像素子から画像信号を読み出し、読み出された画像信号を画像処理及び制御部１で画像処理を行った後に、記録部４に記録する。記録の際には、時計部９からの撮影日時情報等の情報を併せて記録する。記録が終わると、ステップＳ１００に戻る。
【００３４】
ステップＳ１０１における判定の結果、撮影モードでなかった場合には、次に、再生モードか否かの判定を行う（Ｓ１１１）。この判定の結果、再生モードでなかった場合には、ステップＳ１００に戻る。一方、判定の結果、再生モードであった場合には、再生を行う（Ｓ１１２）。ここでは、記録部４に記録されている画像データを読み出し、この画像データに基づいて表示部８ａ、８ｂに画像を表示する。この再生のサブルーチンについては、図６を用いて後述する。再生が終わると、ステップＳ１００に戻る。
【００３５】
次に、ステップＳ１１２における再生について、図６に示すフローチャートを用いて説明する。なお、このフローでは、スライド部１０ｂは、最初、収納状態になっている状態を想定している。再生のフローに入ると、まず、最終画像群の再生を行う（Ｓ１４１）。ここでは、撮影記録された画像の中で直近の画像を表示部８ｂに再生する。続いて、スライド部１０ｂが開くか否かの判定を行う（Ｓ１４２）。この判定は、動き判定部７によって行う。
【００３６】
ステップＳ１４２における判定の結果、開いていた場合には、開く速度がゆっくりか否かの判定を行う（Ｓ１５１）。ここでは、動き判定部７は、２つの磁気センサ７ａ、７ｂを有しており、この２つの磁気センサ７ａ、７ｂが磁石７ｃを感知するまでの時間差から、スライド部１０ｂの開き速度を検出し、この速度が所定値以下であれば、ゆっくりと判定する。
【００３７】
本実施形態においては、再生画像の送り方向を、時系列方向であるか時間を戻る方向であるかは、スライド部１０ｂの開き速度によって切り換えるようにしている。ステップＳ１５１における判定の結果、ゆっくりでなかった場合、すなわち、速かった場合には、第２画面に次候補の画像群を表示する（Ｓ１５３）。このステップでは、第２画面、すなわち、カメラ本体１０ａの表示部８ａに次候補の画像群を表示する。また、第１画面、すなわち、スライド部１０ｂの表示部８ｂには、そのまま画像表示を続ける。なお、最新の画像が表示されている状態で、速くスライド部１０ｂを開いた場合には、次の画像がないことから、記録画像の中で一番古い画像を再生表示する。すなわち、サイクリックに画像が表示されていく。
【００３８】
続いて、スライド部１０ｂが閉じられたか否かの判定を行う（Ｓ１５４）。スライド部１０ｂが閉じられるまで、第１および第２画面（表示部８ａ、８ｂ）に画像群を表示し続ける。ステップＳ１５４における判定の結果、スライド部１０ｂが閉じられると、第２画面（表示部８ａ）の画像群を第１画面（表示部８ｂ）に表示する（Ｓ１５５）。スライド部１０ｂが閉じられると、第１画面（表示部８ｂ）のみが露呈し、このとき、第２画面（表示部８ａ）に表示されていた画像群を第１画面（表示部８ｂ）に移動させる。第１画面に表示すると、ステップＳ１４２に戻る。
【００３９】
ステップＳ１５１における判定の結果、スライド部１０ｂがゆっくり開いた場合には、第２画面（表示部８ａ）に前の画像群を表示する（Ｓ１６１）。スライド部１０ｂがゆっくり開いた場合には、前述したように、再生画像を戻る方向に送りを行い、再生表示する。続いて、ステップＳ１５４と同様に、スライド部１０ｂが閉じられたか否かの判定を行う（Ｓ１６２）。この判定の結果、閉じていない場合には、第１画面（表示部８ｂ）および第２画面（表示部８ａ）に表示を続行する。
【００４０】
ステップＳ１６２における判定の結果、スライド部１０ｂが閉じられると、ステップＳ１６３と同様に、第２画面（表示部８ｂ）の画像群を第１画面（表示部８ａ）に表示する（Ｓ１６３）。スライド部１０ｂが閉じられると、第１画面（表示部８ｂ）のみが露呈し、このとき、第２画面（表示部８ａ）に表示されていた画像群を第１画面（表示部８ｂ）に移動させる。第１画面に表示すると、ステップＳ１４２に戻る。
【００４１】
ステップＳ１４２における判定の結果、スライド部１０ｂが開いていなかった場合には、次に、再生終了か否かの判定を行う（Ｓ１４３）。再生を終了する場合には、ユーザは再生終了操作部材を操作することから、このステップでは操作判定部６によって再生終了操作部材が操作されたか否かの判定を行う。この判定の結果、終了であった場合には、再生のサブルーチンを終了し、元のフローに戻る。
【００４２】
一方、ステップＳ１４３における判定の結果、終了でなかった場合には、別画像を再生表示するか否かの判定を行う（Ｓ１４４）。すなわち、このステップでは、サムネイル一覧表示し、タッチパネル等により、別の画像が指定されたか否かの判定を行う。この判定の結果、別画像が指定されていなかった場合には、ステップＳ１４２に戻る。一方、別の画像が指定された場合には、別画像の再生表示を行う（Ｓ１４５）。別画像の再生表示を行うと、ステップＳ１４２に戻る。
【００４３】
このように、本発明の第１実施形態においては、第１の表示部（表示部８ｂ）と第２の表示部（表示部８ａ）を、互いに重ね合わせた第１の状態（収納状態）と、両者を並べた第２の状態（引出状態）とに変化可能とし、この変化に応じて、画像の送り操作を行っている。このため、単純な構成でありながら、本のページ送りのような感覚で画面を切り換えることが可能である。
【００４４】
また、本実施形態においては、変化の速さを検知し（Ｓ１５１参照）、この速さに応じて、画像を撮影の時系列に沿って進めるか（Ｓ１５３）、画像を戻すか（Ｓ１６１）を決定している。このため、簡単な構成でユーザの意図に応じて進みまたは戻しを行うことができる。
【００４５】
なお、本実施形態においては、スライド部１０ｂを１回開け閉めすることにより、半分ずつ新しい画面が表示されるようにしていたが、これに限らず、例えば、１回の開け閉めで、すべての画像が置き換わるようにしても良い。また、画像の送り方向を、スライド部１０ｂの開きの速度が速い場合には進め、遅い場合には戻していた。しかし、これに限らず、例えば、逆に設定しても良く、また、この設定自体を、メニュー画面等、他の設定で切り換えるようにしても良い。時系列に沿って進める場合には、ステップＳ１５３に分岐し、また時系列を戻る場合には、ステップＳ１６１に分岐する。
【００４６】
次に、図７乃至図９を用いて、本発明の第２実施形態について説明する。第１実施形態においては、収納状態から引出状態に変化させる場合のスライド部１０ｂの移動方向は一方向のみであった。第２実施形態においては、収納状態から引出状態に変化させる場合に、スライド部１０ｂは双方向に移動可能に可能であり、移動方向に応じて、画像の送りを撮影時の時系列に沿って進め、または戻すことができる。
【００４７】
本実施形態における構成は、第１実施形態における図２に示すカメラ１０の構成を、図７に示す構成に変更し、図６に示す再生のフローを図９に示すフローチャートに置き換える点で相違する。また、使用法も第１実施形態に係わる図４を、図８に示すように相違する。以下、相違点を中心に説明する。
【００４８】
図７（ａ）はカメラ１０の長手方向と直交する方向での断面図であり、図７（ｂ）はカメラ本体１０ａから離間された引出状態において背面側からみた一部透視図である。本実施形態においては、カメラ本体１０ａとスライド部１０ｂの両方に溝部１２を、また両者の溝部１２に嵌合するレール１１を設けている。このため、図８に示すように、カメラ本体１０ａに対して重なり合っている収納状態から、スライド部１０ｂは、左右いずれの方向にも摺動することができる。また、図示してないが、動き判定部７は、図２と同様に配置されており、スライド部１０ｂの左右への移動に応じて、それぞれ移動方向を検知することができる。
【００４９】
第１実施形態においては、図４に示すように、収納状態からスライド部１０は右側に周動するだけであったが、第２実施形態においては、図８（ｂ）に示すＡ状態（収納状態）から、スライド部１０ｂを右側に摺動させたＢ状態（図８（ａ）参照）と、Ｂ状態とは反対の方向、すなわち、左側に摺動させたＣ状態の３つの状態をとることができる。
【００５０】
次に、第２実施形態における再生のサブルーチンについて、図９に示すフローチャートを用いて説明する。図６に示した第１実施形態における再生のサブルーチンと相違するのは、ステップＳ１５２のみである。第１実施形態においては、ステップＳ１５１において、スライド部１０ｂがゆっくり開いたか否かの判定を行っていたが、第２実施形態においては、Ａ状態からＢ状態に変化したか否かの判定を行っている（Ｓ１５２）。ここでは、動き判定部７によって、図８（ｂ）に示すＡ状態から図８（ａ）に示すＢ状態に変化したか否かを判定する。
【００５１】
ステップＳ１５２における判定の結果、Ａ状態からＢ状態にスライド部１０ｂが摺動していない場合、すなわちＡ状態からＣ状態に摺動していた場合には、第１実施形態の場合と同様に、第２画面（表示部８ａ）に次候補画像群を表示する（Ｓ１５３）。そして、スライド部１０ｂを閉じると（Ｓ１５４→Ｙ）、第２画面（表示部８ａ）の画像を第１画面（表示部８ｂ）に移動させる。これらの一連の動作を繰り返すことにより、画像を少しずつ進ませることができる。
【００５２】
一方、ステップＳ１５２における判定の結果、Ａ状態からＢ状態にスライド部１０ｂが摺動していた場合には、第１実施形態の場合と同様に、第２画面（表示部８ａ）に前の画像群を表示する（Ｓ１６１）。そして、スライド部１０ｂを閉じると（Ｓ１６２→Ｙ）、第２画面（表示部８ａ）の画像を第１画面（表示部８ｂ）に移動させる。これらの一連の動作を繰り返すことにより、画像を少しずつ戻すことができる。
【００５３】
本発明の第２実施形態においても、第１の表示部（表示部８ｂ）と第２の表示部（表示部８ａ）を、互いに重ね合わせた第１の状態（収納状態）と、両者を並べた第２の状態（引出状態）とに変化可能とし、この変化に応じて、画像の送り操作を行っている。このため、単純な構成でありながら、本のページ送りのような感覚で画面を切り換えることが可能である。
【００５４】
また、本実施形態においては、第２の状態として、Ｂ状態とＣ状態の２つの状態をとれるようにし、動き判定部７が検知している。これらの状態を検知し（Ｓ１５２参照）、この状態に応じて、画像を撮影の時系列に沿って進めるか（Ｓ１５３）、画像を戻すか（Ｓ１６１）を決定している。このため、ユーザの意図に応じて進みまたは戻しを簡単に行うことができる。スライド部１０ｂとカメラ本体１０ａの位置関係を３状態としたことから、より操作がしやく、画像の送り操作を簡単に行うことができる。
【００５５】
以上説明したように、本発明の各実施形態においては、第１の表示部（表示部８ｂ）と第２の表示部（表示部８ａ）を、互いに重ね合わせた第１の状態（収納状態）と、両者を並べた第２の状態（引出状態）とに変化可能とし、この変化に応じて、画像の送り操作を行っている。このため、単純な構成でありながら、本のページ送りのような感覚で画面を切り換えることが可能である。画像を探したり、鑑賞する場合に、アルバムをめくるような感覚で楽しむことができる。従来は、表示モニタにデジタルデータを再生表示するにすぎなかったが、本発明の各実施形態によれば、画像表示に実感を持たせることができ、擬似的なアルバム表示を可能にしている。
【００５６】
また、本発明の各実施形態においては、第１の表示部（表示部８ｂ）と第２の表示部（表示部８ａ）をスライド自在とし、第１および第２の表示部をスライドさせることにより、複数の記録画像の送り操作を行えるようにしている。このため、スライドさせるたびに、画像送りができ、画像送りが簡単にすることができる
【００５７】
なお、本発明の各実施形態においては、カメラ本体１０ａの長手方向に対して、上下方向に移動する例で説明したが、これに限らず、カメラ本体１０ａの長手方向等に、移動するようにしても勿論かまわない。
【００５８】
また、本発明の各実施形態においては、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）等に内蔵されるカメラでも構わない。
【００５９】
さらに、本発明の各実施形態においては、表示装置として、カメラに適用した例を説明したが、他の装置の表示部分であっても良く、また表示専用機でも勿論かまわない。
【００６０】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【図面の簡単な説明】
【００６１】
【図１】本発明の第１実施形態に係わるカメラの電気回路を示すブロック図である。
【図２】本発明の第１実施形態に係るカメラのカメラ本体とスライド部の構造を説明する図であって、（ａ）はカメラの長手方向と直交する方向での断面図であり、（ｂ）はスライド部がカメラ本体から離間された引出状態において背面側からみた一部透視図であり、（ｃ）はスライド部をカメラ本体上に重ねた収納状態において背面側から見た一部透視図である。
【図３】本発明の第１実施形態に係わるカメラにおける引出状態での外観斜視図を示し、（ａ）は正面側から見た外観斜視図であり、（ｂ）は背面側から見た外観斜視図である。
【図４】本発明の第１実施形態に係わるカメラにおいて、表示状態を説明する図であり、（ａ）はカメラ本体からスライド部を引き出した状態を示し、（ｂ）はカメラ本体上にスライド部を覆った状態を示し、（ｃ）は再びカメラ本体からスライド部を引き出した状態を示す。
【図５】本発明の第１実施形態に係わるカメラにおけるカメラ制御の動作を示すフローチャートである。
【図６】本発明の第１実施形態に係わるカメラにおける再生の動作を示すフローチャートである。
【図７】本発明の第２実施形態に係わるカメラのカメラ本体とスライド部の構造を説明する図であって、（ａ）はカメラの長手方向と直交する方向での断面図であり、（ｂ）はスライド部がカメラ本体から離間された引出状態において背面側からみた一部透視図である。
【図８】本発明の第２実施形態に係わるカメラにおいて、表示状態を説明する図であり、（ａ）はカメラ本体からスライド部を右側に引き出した状態（Ｂ状態）を示し、（ｂ）はカメラ本体上にスライド部を覆った状態（Ａ状態）を示し、（ｃ）はカメラ本体からスライド部を左側に引き出した状態（Ｃ状態）を示す。
【図９】本発明の第２実施形態に係わるカメラにおける再生の動作を示すフローチャートである。
【符号の説明】
【００６２】
１・・・画像処理及び制御部、２・・・撮像部、２ａ・・・撮影レンズ、３・・・表示制御部、４・・・記録部、５・・・ストロボ部、６・・・操作判定部、７・・・動き判定部、７ａ・・・磁気センサ、７ｂ・・・磁気センサ、７ｃ・・・磁石、８ａ・・・表示部、８ｂ・・・表示制御部、９・・・時計部、１０・・・カメラ、１０ａ・・・カメラ本体、１０ｂ・・・スライド部、１１・・・レール、１２・・・溝部
【図１】
2010145439.tif 000003
【図２】
2010145439.tif 000004
【図３】
2010145439.tif 000005
【図４】
2010145439.tif 000006
【図５】
2010145439.tif 000007
【図６】
2010145439.tif 000008
【図７】
2010145439.tif 000009
【図８】
2010145439.tif 000010
【図９】
2010145439.tif 000011